(57)【特許請求の範囲】
【請求項１】
画像信号ソースから提供される階調データに基づいて画像を表示する液晶表示装置を備える表示システムであって、
複数のゲートラインと、前記ゲートラインと絶縁されて交差する複数のデータラインと、前記ゲートラインと前記データラインとにより囲まれた領域に形成され前記ゲートライン及び前記データラインに連結されている複数のスイッチング素子と、前記スイッチング素子により制御される複数の画素と、を有する液晶パネルと、
前記ゲートラインにスキャン信号を提供するスキャン駆動部と、
前記データラインにデータ信号を提供するデータ駆動部と、
前記液晶表示装置における液晶の応答速度を向上させるための第１補償データを複数の温度区間別に記憶する第１メモリと、
前記液晶表示装置の特性を考慮して設定された第２補償データを記憶する第２メモリと、
以前フレームの前記階調データ及び現在フレームの前記階調データを考慮して、前記第１補償データを前記第１メモリから選択して読み出し前記第１補償データに基づいて前記階調データを補償する、あるいは前記第２補償データを前記第２メモリから読み出し前記第２補償データに基づいて前記階調データを補償するタイミング制御部と、
を含み、
前記タイミング制御部は、
前記第１補償データをパラレル変換するシリアル−パラレル変換部と、
前記第１メモリからクロック信号に応答してパラレル変換される前記第１補償データ及び前記第２メモリに記憶される前記第２補償データのうちいずれか一方を出力する第１スイッチング部と、
前記画素を制御するためのクロック信号であるドットクロック及び前記シリアル−パラレル変換部を制御するためのクロック信号であるシリアルクロックの少なくとも一方に応答して、前記第１補償データ及び前記第２補償データのいずれか一方を記憶するＲＡＭと、
前記伝送クロックに応答して、前記シリアルクロック及び前記ドットクロックのいずれか一方を出力する第２スイッチング部と、
前記シリアル−パラレル変換部への前記第１補償データの伝送を完了させるためのクロック信号である伝送完了クロックに応答して、前記第２スイッチング部から出力されるクロック及び前記ドットクロックのいずれか一方を前記ＲＡＭに出力する第３スイッチング部と、
を有する、表示システム。
【請求項２】
前記タイミング制御部は、前記液晶表示装置の周辺又は内部の温度に関する情報である温度情報に基づいて、前記第１補償データを前記第１メモリから選択して読み出す、請求項１に記載の表示システム。
【請求項３】
前記タイミング制御部は、前記第１補償データを前記第１メモリから選択して読み出すことが不能な場合に、前記第２補償データを前記第２メモリから読み出す、請求項１に記載の表示システム。
【請求項４】
前記第１メモリは、不揮発性メモリである、請求項１に記載の表示システム。
【請求項５】
前記第１メモリは、ＥＥＰＲＯＭである、請求項１に記載の表示システム。
【請求項６】
前記第２メモリは、ＲＯＭである、請求項１に記載の表示システム。
【請求項７】
前記タイミング制御部は、前記以前フレームの前記階調データと前記現在フレームの前記階調データとを考慮して前記第１補償データを選択する、請求項１に記載の表示システム。
【請求項８】
前記液晶表示装置の周辺又は内部の温度に関する情報である温度情報を感知する温度感知部を更に含み、
前記タイミング制御部は、前記温度情報を前記温度感知部から受け取る、
請求項１に記載の表示システム。
【請求項９】
前記第１メモリは、複数の温度区間に対応するルックアップテーブルを有し、
各ルックアップルテーブルは、階調の値と前記第１補償データとを対応づけたテーブルを備えた、請求項１に記載の表示システム。
【請求項１０】
前記第１メモリは、前記第１補償データの伝送におけるエラーの有無を区別するための情報であるサブチェックサムビットを各前記ルックアップテーブルについてさらに有する、請求項９に記載の表示システム。
【請求項１１】
前記第１メモリは、前記複数の前記ルックアップテーブルに対応する前記サブチェックサムビットの値を合計した情報であるトータルチェックサムビットを更に有する、請求項１０に記載の表示システム。
【請求項１２】
前記タイミング制御部は、
前記第１メモリから読み出された前記第１補償データ及び第２メモリから読み出された前記第２補償データのいずれか一方をフレームブランキング期間に記憶する、請求項１に記載の表示システム。
【請求項１３】
画像信号ソースから提供される階調データに基づいて画像を表示する液晶表示装置を備える表示システムであって、
複数のゲートラインと、前記ゲートラインと絶縁されて交差する複数のデータラインと、前記ゲートラインと前記データラインとにより囲まれた領域に形成され前記ゲートライン及び前記データラインに連結されている複数のスイッチング素子と、前記スイッチング素子により制御される複数の画素と、を有する液晶パネルと、
前記ゲートラインにスキャン信号を提供するスキャン駆動部と、
前記データラインにデータ信号を提供するデータ駆動部と、
前記液晶表示装置における液晶の応答速度を向上させるための第１補償データを複数の温度区間別に記憶する第１メモリと、
前記液晶表示装置の特性を考慮して設定された第２補償データを記憶する第２メモリと、
以前フレームの前記階調データ及び現在フレームの前記階調データを考慮して、前記第１補償データを前記第１メモリから選択して読み出し前記第１補償データに基づいて前記階調データを補償する、あるいは前記第２補償データを前記第２メモリから読み出し前記第２補償データに基づいて前記階調データを補償するタイミング制御部と、
を含み、
前記タイミング制御部は、
前記第１補償データをパラレル変換するシリアル−パラレル変換部と、
前記第１メモリからクロック信号に応答してパラレル変換される前記第１補償データ及び前記第２メモリに記憶される前記第２補償データのうちいずれか一方を出力する第１スイッチング部と、
パラレル変換された前記第１補償データを一時的に記憶して、前記第１メモリから前記シリアル−パラレル変換部に前記第１補償データを伝送するためのクロック信号である伝送クロックと前記シリアル−パラレル変換部への前記第１補償データの伝送を完了させるためのクロック信号である伝送完了クロックと垂直同期信号とに基づいて、一時的に記憶された前記第１補償データを出力するバッファーと、
前記画素を制御するためのクロック信号であるドットクロックに応答して、前記第１スイッチング部から出力される前記第１補償データ及び前記第１スイッチング部から出力される第２補償データのいずれか一方を記憶するＲＡＭと、
前記伝送クロックに応答して、前記シリアル−パラレル変換部を制御するためのクロック信号であるシリアルクロック及び前記ドットクロックのいずれか一方を出力する第２スイッチング部と、
前記伝送完了クロックと前記垂直同期信号とをアンド演算するアンドゲートと、
前記アンドゲートがアンド演算したクロックに応答して、前記第２スイッチング部から出力されるクロック及び前記ドットクロックのいずれか一方を前記バッファーに出力する第３スイッチング部と、
を有する、表示システム。
【請求項１４】
前記ドットクロックは、前記画像信号ソースから前記階調データが提供されることに同期している、請求項１３に記載の表示システム。
【請求項１５】
前記シリアルクロックは、前記伝送クロックに同期している、請求項１４に記載の表示システム。
【請求項１６】
前記第２メモリは、複数の温度区間に対応するルックアップテーブルを有し、
各前記ルックアップルテーブルは、階調の値と前記第１補償データとを対応づけたテーブルを備えた、請求項１または請求項１３に記載の表示システム。
【請求項１７】
前記第２メモリは、前記第２補償データの伝送におけるエラーの有無を区別するための情報であるサブチェックサムビットを各前記ルックアップテーブルについてさらに有する、請求項１６に記載の表示システム。
【請求項１８】
前記第２メモリは、前記複数の前記ルックアップテーブルに対応する前記サブチェックサムビットの値を合計した情報であるトータルチェックサムビットを更に有する、
請求項１７に記載の表示システム。
【請求項１９】
複数のゲートラインと、前記ゲートラインと絶縁されて交差する複数のデータラインと、前記ゲートラインと前記データラインとにより囲まれた領域に形成され前記ゲートライン及び前記データラインに連結されている複数のスイッチング素子と、前記スイッチング素子により制御される複数の画素と、を備えた表示システムの駆動方法において、
（ａ）前記ゲートラインにスキャン信号が順次供給される段階と、
（ｂ）前記表示システムの周辺又は内部の温度に関する情報である温度情報と現在フレームの階調データと以前フレームの階調データとを考慮して、前記液晶表示装置における液晶の応答速度を向上させるための第１補償データを複数の温度区間別に記憶する第１メモリから前記第１補償データが読み出されるか、または、前記液晶表示装置の特性を考慮して設定された第２補償データを記憶する第２メモリから前記第２補償データが読み出される段階と、
（ｃ）前記第１メモリからクロック信号に応答してパラレル変換される前記第１補償データ及び前記第２メモリに記憶される前記第２補償データのうちいずれか一方を出力する段階と、
（ｄ）前記画素を制御するためのクロック信号であるドットクロック及び前記シリアル−パラレル変換部を制御するためのクロック信号であるシリアルクロックの少なくとも一方に応答して、前記第１補償データ及び前記第２補償データのいずれか一方をＲＡＭに記憶する段階と、
（ｅ）前記伝送クロックに応答して、前記シリアルクロック及び前記ドットクロックのいずれか一方を出力する段階と、
（ｆ）前記シリアル−パラレル変換部への前記第１補償データの伝送を完了させるためのクロック信号である伝送完了クロックに応答して、前記第２スイッチング部から出力されるクロック及び前記ドットクロックのいずれか一方を前記ＲＡＭに出力する段階と、
（ｇ）前記第１及び第２補償データに基づいて前記階調データが補償され、補償された前記階調データに基づいてデータ電圧が前記データラインに供給される段階と、
を含む、表示システムの駆動方法。
【請求項２０】
複数のゲートラインと、前記ゲートラインと絶縁されて交差する複数のデータラインと、前記ゲートラインと前記データラインとにより囲まれた領域に形成され前記ゲートライン及び前記データラインに連結されている複数のスイッチング素子と、前記スイッチング素子により制御される複数の画素と、を備えた表示システムの駆動方法において、
（ａ）前記ゲートラインにスキャン信号が順次供給される段階と、
（ｂ）前記表示システムの周辺又は内部の温度に関する情報である温度情報と垂直同期信号の周波数と、現在フレームの階調データと以前フレームの階調データとを考慮して、第１補償データを複数の温度区間別に記憶する第１メモリから前記第１補償データが読み出されたか、または、前記液晶表示装置の特性を考慮して設定された第２補償データを記憶する第２メモリから前記第２補償データが読み出される段階と、
（ｃ）前記第１メモリから前記シリアルパラレル変換部に前記第１補償データを伝送するためのクロック信号の伝送クロックに応答してパラレル変換される前記第１補償データ及び前記第２メモリに記憶される前記第２補償データのうちいずれか一方を出力する段階と、
（ｄ）前記画素を制御するためのクロック信号であるドットクロック及び前記シリアル−パラレル変換部を制御するためのクロック信号であるシリアルクロックの少なくとも一方に応答して、前記第１補償データ及び前記第２補償データのいずれか一方をＲＡＭに記憶する段階と、
（ｅ）前記伝送クロックに応答して、前記シリアルクロック及び前記ドットクロックのいずれか一方を出力する段階と、
（ｆ）前記シリアル−パラレル変換部への前記第１補償データの伝送を完了させるためのクロック信号である伝送完了クロックに応答して、前記第２スイッチング部から出力されるクロック及び前記ドットクロックのいずれか一方を前記ＲＡＭに出力する段階と、
（ｇ）前記第１及び第２補償データに基づいて前記階調データが補償され、補償された前記階調データに基づいてデータ電圧が前記データラインに供給される段階と、
を含む、表示システムの駆動方法。
【請求項２１】
前記補償データは、前記温度情報に対応するルックアップテーブルに記憶され、
前記（ｂ）段階では、前記ルックアップテーブルが参照されることにより、前記補償データが生成される、請求項２０に記載の表示システムの駆動方法。
【請求項２２】
前記ルックアップテーブルは、複数存在する、請求項２１に記載の表示システムの駆動方法。
【請求項２３】
前記（ｂ）段階では、フレームブランキング期間に前記ルックアップテーブルが参照される、請求項２１に記載の表示システムの駆動方法。
【請求項２４】
複数のゲートラインと、前記ゲートラインと絶縁されて交差する複数のデータラインと、前記ゲートラインと前記データラインとにより囲まれた領域に形成され前記ゲートライン及び前記データラインに連結されている複数のスイッチング素子と、前記スイッチング素子により制御される複数の画素と、を備えた表示システムの駆動装置であって、
前記ゲートラインにスキャン信号を提供するスキャン駆動部と、
前記データラインにデータ信号を提供するデータ駆動部と、
前記液晶表示装置における液晶の応答速度を向上させるための第１補償データを複数の温度区間別に記憶する第１メモリと、
前記液晶表示装置の特性を考慮して設定された第２補償データを記憶する第２メモリと、
以前フレームの前記階調データ及び現在フレームの前記階調データを考慮して、前記第１補償データを前記第１メモリから読み出し前記第１補償データに基づいて前記階調データを補償する、あるいは前記第２補償データを前記第２メモリから読み出し前記第２補償データに基づいて前記階調データを補償するタイミング制御部と、
を含み、
前記タイミング制御部は、
前記第１補償データをパラレル変換するシリアル−パラレル変換部と、
前記第１メモリからクロック信号に応答してパラレル変換される前記第１補償データ及び前記第２メモリに記憶される前記第２補償データのうちいずれか一方を出力する第１スイッチング部と、
前記画素を制御するためのクロック信号であるドットクロック及び前記シリアル−パラレル変換部を制御するためのクロック信号であるシリアルクロックの少なくとも一方に応答して、前記第１補償データ及び前記第２補償データのいずれか一方を記憶するＲＡＭと、
前記伝送クロックに応答して、前記シリアルクロック及び前記ドットクロックのいずれか一方を出力する第２スイッチング部と、
前記シリアル−パラレル変換部への前記第１補償データの伝送を完了させるためのクロック信号である伝送完了クロックに応答して、前記第２スイッチング部から出力されるクロック及び前記ドットクロックのいずれか一方を前記ＲＡＭに出力する第３スイッチング部と、
を含む、表示システムの駆動装置。
【請求項２５】
前記タイミング制御部は、
前記第１メモリから読み出された前記第１補償データ及び第２メモリから読み出された前記第２補償データのいずれか一方をフレームブランキング期間に記憶する、請求項２４に記載の表示システムの駆動装置。
【請求項２６】
複数のゲートラインと、前記ゲートラインと絶縁されて交差する複数のデータラインと、前記ゲートラインと前記データラインとにより囲まれた領域に形成され前記ゲートライン及び前記データラインに連結されている複数のスイッチング素子と、前記スイッチング素子により制御される複数の画素と、を備えた表示システムの駆動装置であって、
前記ゲートラインにスキャン信号を提供するスキャン駆動部と、
前記データラインにデータ信号を提供するデータ駆動部と、
前記液晶表示装置における液晶の応答速度を向上させるための第１補償データを複数の温度区間別に記憶する第１メモリと、
前記液晶表示装置の特性を考慮して設定された第２補償データを記憶する第２メモリと、
以前フレームの前記階調データ及び現在フレームの前記階調データを考慮して、前記第１補償データを前記第１メモリから読み出し前記第１補償データに基づいて前記階調データを補償する、あるいは前記第２補償データを前記第２メモリから読み出し前記第２補償データに基づいて前記階調データを補償するタイミング制御部と、
を含み、
前記タイミング制御部は、
前記第１補償データをパラレル変換するシリアル−パラレル変換部と、
前記第１メモリからクロック信号に応答してパラレル変換される前記第１補償データ及び前記第２メモリに記憶される前記第２補償データのうちいずれか一方を出力する第１スイッチング部と、
パラレル変換された前記第１補償データを一時的に記憶して、前記第１メモリから前記シリアル−パラレル変換部に前記第１補償データを伝送するためのクロック信号である伝送クロックと前記シリアル−パラレル変換部への前記第１補償データの伝送を完了させるためのクロック信号である伝送完了クロックと垂直同期信号とに基づいて、一時的に記憶された前記第１補償データを出力するバッファーと、
前記画素を制御するためのクロック信号であるドットクロックに応答して、前記第１スイッチング部から出力される前記第１補償データ及び前記第１スイッチング部から出力される第２補償データのいずれか一方を記憶するＲＡＭと、
前記伝送クロックに応答して、前記シリアル−パラレル変換部を制御するためのクロック信号であるシリアルクロック及び前記ドットクロックのいずれか一方を出力する第２スイッチング部と、
前記伝送完了クロックと前記垂直同期信号とをアンド演算するアンドゲートと、
前記アンドゲートがアンド演算したクロックに応答して、前記第２スイッチング部から出力されるクロック及び前記ドットクロックのいずれか一方を前記バッファーに出力する第３スイッチング部と、
を含む、表示システムの駆動装置。
【請求項２７】
前記ドットクロックは、前記画像信号ソースから前記階調データが提供されることに同期している、請求項２６に記載の表示システムの駆動装置。
【請求項２８】
前記シリアルクロックは、前記伝送クロックに同期している、請求項２７に記載の表示システムの駆動装置。
【請求項２９】
前記第２メモリは、複数の温度区間に対応するルックアップテーブルを有し、
各前記ルックアップルテーブルは、階調の値と前記第１補償データとを対応づけたテーブルを備えた、請求項２８に記載の表示システムの駆動装置。
【請求項３０】
前記第２メモリは、前記第２補償データの伝送におけるエラーの有無を区別するための情報であるサブチェックサムビットを各前記ルックアップテーブルについてさらに有する、請求項２９に記載の表示システムの駆動装置。
【請求項３１】
前記第２メモリは、前記複数の前記ルックアップテーブルに対応する前記サブチェックサムビットの値を合計した情報であるトータルチェックサムビットを更に有する、請求項２９に記載の表示システムの駆動装置。 
【発明の詳細な説明】
【技術分野】
【０００１】
本発明は、表示システム、表示システムの駆動方法及び表示システムの駆動装置に関する。
【背景技術】
【０００２】
一般に、液晶表示装置（Ｌｉｑｕｉｄ  Ｃｒｙｓｔａｌ  Ｄｉｓｐｌａｙ）は、スリムなデザイン、低消費電力、高解像度等の長所に基づいて、ノートパソコン、デスクトップ用等の各種応用製品が製造されている。特に、液晶パネルの大型化が可能になるにつれて、ＴＶ用として注目されている。しかし、主に動画像を表示するＴＶに採用されるためには、液晶の応答速度が重要である。
【０００３】
特に、ＴＶ用液晶表示装置は、従来のＣＲＴを代替するものであるため、各特性項目もＣＲＴを基準に比較するのが一般的であり、このような場合、液晶表示装置においては、応答速度が特に改善すべき特性である。
【発明の概要】
【発明が解決しようとする課題】
【０００４】
しかし、従来の液晶表示装置は、動画像を表示する際に応答速度が十分でないことがある。このような応答速度の問題を改善するために、従来の技術では、ＯＣＢ（Ｏｐｔｉｃａｌｌｙ  Ｃｏｍｐｅｎｓａｔｅｄ  Ｂａｎｄ）モードが使用されるか、強誘電性液晶物質ＦＬＣを使用する液晶表示装置が使用されることがある。ところが、このようにＯＣＢモードやＦＬＣなどが使用される場合には、液晶表示装置の周辺又は内部の温度変化に対する応答速度が不均一になるおそれがある。具体的には、次のようなおそれがある。
【０００５】
このような液晶表示装置に必須的に備えられる液晶（Ｌｉｑｕｉｄ  Ｃｒｙｓｔａｌ）は、温度によってそれぞれの誘電率値が異なる。即ち、液晶分子が基板に平行な方向に配列された場合、即ち、液晶分子が光の方向と垂直方向に配列された場合の平行誘電率（ε‖）や、液晶分子が基板に垂直方向に配列された場合、即ち、液晶分子が光の方向と平行方向に配列された場合の垂直誘電率（ε⊥）、平行誘電率（ε‖）と垂直誘電率（ε⊥）との差誘電率（Δε）は、温度によって変化する。これは、液晶のオーダーパラメーター（ｏｒｄｅｒ  ｐａｒａｍｅｔｅｒ）が変化するためである。
【０００６】
図１は、中間グレー階調での周辺温度（ａｍｂｉｅｎｔ  ｔｅｍｐｅｒａｔｕｒｅ）別に液晶の応答速度変化を示したグラフである。図１に示したように、周辺の温度が高いほど、液晶の活性化程度が高くなって、液晶の応答速度は速くなる傾向がある。すなわち、動画像を表示する装置、例えば、ＴＶに採用される液晶表示装置では、液晶表示装置の周辺又は内部の温度変化により応答速度が不均一になるおそれがある。
【０００７】
特に、ＴＶに採用される液晶表示装置が０℃以下のような低温環境で駆動される場合、応答速度は、正常的な環境の応答速度より遅いのみならず、はっきりしない画像を表示するおそれがある。
【０００８】
本発明は、このような問題点を勘案したものであって、本発明の目的は、液晶表示装置の周辺又は内部の温度に適応して液晶の応答速度を高速化することができる表示システム、表示システムの駆動方法及び表示システムの駆動装置を提供することにある。
【課題を解決するための手段】
【０００９】
本発明に係る表示システムは、画像信号ソースから提供される階調データに基づいて画像を表示する液晶表示装置を備える表示システムであって、複数のゲートラインと、前記ゲートラインと絶縁されて交差する複数のデータラインと、前記ゲートラインと前記データラインとにより囲まれた領域に形成され前記ゲートライン及び前記データラインに連結されている複数のスイッチング素子と、前記スイッチング素子により制御される複数の画素と、を有する液晶パネルと、前記ゲートラインにスキャン信号を提供するスキャン駆動部と、前記データラインにデータ信号を提供するデータ駆動部と、前記液晶表示装置における液晶の応答速度を向上させるための第１補償データを複数の温度区間別に記憶する第１メモリと、前記液晶表示装置の特性を考慮して設定された第２補償データを記憶する第２メモリと、以前フレームの前記階調データ及び現在フレームの前記階調データを考慮して、前記第１補償データを前記第１メモリから選択して読み出し前記第１補償データに基づいて前記階調データを補償する、あるいは前記第２補償データを前記第２メモリから読み出し前記第２補償データに基づいて前記階調データを補償するタイミング制御部と
を含み、タイミング制御部は、前記第１メモリからクロック信号に応答してパラレル変換される前記第１補償データ及び前記第２メモリに記憶される前記第２補償データのうちいずれか一方を出力する第１スイッチング部を含む。
【００１０】
この表示システムでは、第１メモリが、第１補償データを複数の温度区間別に記憶する。液晶表示装置の周辺又は内部の温度に関する情報である温度情報に基づいて、第１補償データを選択することができる。第２メモリが、第２補償データを記憶する。タイミング制御部が、以前フレームの階調データ及び現在フレームの階調データを考慮して、第１補償データを第１メモリから選択して読み出し、第１補償データに基づいて階調データを補償する。あるいは、タイミング制御部が、以前フレームの階調データ及び現在フレームの階調データを考慮して、第２補償データを第２メモリから読み出し、第２補償データに基づいて階調データを補償する。
【００１１】
したがって、温度情報に基づいて選択された第１補償データに基づいて液晶表示装置が階調データを補償することができるので、液晶表示装置の周辺又は内部の温度に適応して液晶の応答速度を高速化することができる。また、第１補償データに基づいて階調データを補償できない場合でも、第２補償データに基づいて階調データを暫定的に補償することができる。
【００１２】
また、本発明に係る表示システムの駆動方法は、複数のゲートラインと、前記ゲートラインと絶縁されて交差する複数のデータラインと、前記ゲートラインと前記データラインとにより囲まれた領域に形成され前記ゲートライン及び前記データラインに連結されている複数のスイッチング素子と、前記スイッチング素子により制御される複数の画素と、を備えた表示システムの駆動方法であって、（ａ）前記ゲートラインにスキャン信号が順次供給される段階と、（ｂ）前記表示システムの周辺又は内部の温度に関する情報である温度情報と現在フレームの階調データと以前フレームの階調データとを考慮して、前記液晶表示装置における液晶の応答速度を向上させるための第１補償データを複数の温度区間別に記憶する第１メモリから前記第１補償データが読み出されるか、または、前記液晶表示装置の特性を考慮して設定された第２補償データを記憶する第２メモリから前記第２補償データが読み出される段階と、（ｃ）前記第１メモリからクロック信号に応答してパラレル変換される前記第１補償データ及び前記第２メモリに記憶される前記第２補償データのうちいずれか一方を出力する段階と、（ｄ）前記第１及び第２補償データに基づいて前記階調データが補償され、補償された前記階調データに基づいてデータ電圧が前記データラインに供給される段階とを含む。
【００１３】
この表示システムの駆動方法では、（ｂ）段階において、温度情報と垂直同期信号の周波数とに基づいて、補償データが生成される。（ｂ）段階において、現在フレームの階調データと以前フレームの階調データとを考慮して、補償データが読み出される。（ｂ）段階において、補償データに基づいて階調データが補償される。（ｃ）段階では、第１メモリからクロック信号に応答してパラレル変換される第１補償データ及び第２メモリに記憶される第２補償データのうちいずれか一方を出力する。（ｄ）段階において、補償データに基づいて階調データが補償され、補償された階調データに基づいてデータ電圧がデータラインに供給される。
【００１４】
したがって、温度情報に基づいて選択された補償データに基づいて液晶表示装置が階調データを補償するので、液晶表示装置の周辺又は内部の温度に適応して液晶の応答速度を高速化することができる。
【００１５】
また、本発明の他の実施例による表示システムの駆動方法は、複数のゲートラインと、前記ゲートラインと絶縁されて交差する複数のデータラインと、前記ゲートラインと前記データラインとにより囲まれた領域に形成され前記ゲートライン及び前記データラインに連結されている複数のスイッチング素子と、前記スイッチング素子により制御される複数の画素と、を備えた表示システムの駆動方法であって、（ａ）前記ゲートラインにスキャン信号が順次供給される段階と、（ｂ）前記表示システムの周辺又は内部の温度に関する情報である温度情報と垂直同期信号の周波数と、現在フレームの階調データと以前フレームの階調データとを考慮して、第１補償データを複数の温度区間別に記憶する第１メモリから前記第１補償データが読み出されたか、または、前記液晶表示装置の特性を考慮して設定された第２補償データを記憶する第２メモリから前記第２補償データが読み出される段階と、（ｃ）前記第１メモリから前記シリアルパラレル変換部に前記第１補償データを伝送するためのクロック信号の伝送クロックに応答してパラレル変換される前記第１補償データ及び前記第２メモリに記憶される前記第２補償データのうちいずれか一方を出力する段階と、（ｄ）前記第１及び第２補償データに基づいて前記階調データが補償され、補償された前記階調データに基づいてデータ電圧が前記データラインに供給される段階と、
を含む。
【００１６】
この表示システムの駆動方法では、（ｂ）段階において、温度情報に基づいて、複数の補償データが読み出される。（ｃ）段階において、現在フレームの階調データと以前フレームの階調データとに基づいて、液晶表示装置における液晶の応答速度を向上させるのに適した補償データが、複数の補償データから読み出される。（ｄ）段階において、補償データに基づいて階調データが補償され、補償された階調データに基づいてデータ電圧が液晶表示装置に供給される。
【００１７】
したがって、温度情報に基づいて選択された補償データに基づいて液晶表示装置が階調データを補償するので、液晶表示装置の周辺又は内部の温度に適応して液晶の応答速度を高速化することができる。
【００１８】
本発明に係る表示システムの駆動装置は、複数のゲートラインと、前記ゲートラインと絶縁されて交差する複数のデータラインと、前記ゲートラインと前記データラインとにより囲まれた領域に形成され前記ゲートライン及び前記データラインに連結されている複数のスイッチング素子と、前記スイッチング素子により制御される複数の画素と、を備えた表示システムの駆動装置であって、前記ゲートラインにスキャン信号を提供するスキャン駆動部と、前記データラインにデータ信号を提供するデータ駆動部と、前記液晶表示装置における液晶の応答速度を向上させるための第１補償データを複数の温度区間別に記憶する第１メモリと、前記液晶表示装置の特性を考慮して設定された第２補償データを記憶する第２メモリと、以前フレームの前記階調データ及び現在フレームの前記階調データを考慮して、前記第１補償データを前記第１メモリから読み出し前記第１補償データに基づいて前記階調データを補償する、あるいは前記第２補償データを前記第２メモリから読み出し前記第２補償データに基づいて前記階調データを補償するタイミング制御部とを含み、前記タイミング制御部は、前記第１メモリからクロック信号に応答してパラレル変換される前記第１補償データ及び前記第２メモリに記憶される前記第２補償データのうちいずれか一方を出力する第１スイッチング部とを含む。
【００１９】
この表示システムの駆動装置では、タイミング制御部が、温度情報に基づいて選択された補償データを外部の画像信号ソースから受け取って記憶する。タイミング制御部が、以前フレームの階調データと現在フレームの階調データとを考慮して、補償データを読み出す。タイミング制御部が、補償データに基づいて、階調データを補償して出力する。データ駆動部が、補償された階調データに基づいて、データ電圧をデータラインに供給する。スキャン駆動部が、ゲートラインにスキャン信号を順次供給する。
【００２０】
したがって、温度情報に基づいて選択された補償データに基づいて液晶表示装置が階調データを補償するので、液晶表示装置の周辺又は内部の温度に適応して液晶の応答速度を高速化することができる。
【発明の効果】
【００２１】
本発明に係る表示システムでは、温度情報に基づいて選択された第１補償データに基づいて液晶表示装置が階調データを補償することができるので、液晶表示装置の周辺又は内部の温度に適応して液晶の応答速度を高速化することができる。また、第１補償データに基づいて階調データを補償できない場合でも、第２補償データに基づいて階調データを暫定的に補償することができる。
【００２２】
本発明に係る表示システムの駆動方法では、温度情報に基づいて選択された補償データに基づいて液晶表示装置が階調データを補償するので、液晶表示装置の周辺又は内部の温度に適応して液晶の応答速度を高速化することができる。
【００２３】
本発明の他の実施例による表示システムの駆動方法では、温度情報に基づいて選択された補償データに基づいて液晶表示装置が階調データを補償するので、液晶表示装置の周辺又は内部の温度に適応して液晶の応答速度を高速化することができる。
【００２４】
本発明に係る表示システムの駆動装置では、温度情報に基づいて選択された補償データに基づいて液晶表示装置が階調データを補償するので、液晶表示装置の周辺又は内部の温度に適応して液晶の応答速度を高速化することができ、第１補償データに基づいて階調データを補償できない場合でも、第２補償データに基づいて階調データを暫定的に補償することができる。
【図面の簡単な説明】
【００２５】
【図１】図１は、中間グレーでの周辺温度別液晶の応答速度の変化を示すグラフである。
【図２】図２は、液晶表示装置において各画素の等価回路を示す図である。
【図３】図３は、一般的な駆動方式で印加される場合のデータ電圧及び画素電圧を示す図である。
【図４】図４は、図３による駆動方法による液晶表示装置の透過率を示す図である。
【図５】図５は、本発明による表示システムを説明するための図である。
【図６】図６は、図５の画像信号ソースの一例を説明するための図である。
【図７】図７は、図５の液晶表示装置の一例を説明するための図である。
【図８】図８は、図７の液晶表示装置の一実施例を説明するための図である。
【図９】図９は、図７の液晶表示装置の他の実施例を説明するための図である。
【図１０】図１０は、図９のタイミング制御部の外部ＥＥＰＲＯＭを用いてフレームブランキング期間でＬＵＴを変更するタイミング図である。
【図１１】図１１は、ＥＥＰＲＯＭに記憶される複数のＬＵＴ及び前記ＬＵＴのそれぞれに対応するチェックサムデータの一例を説明するための図である。
【発明を実施するための形態】
【００２６】
以下、添付図面を参照して、本発明をより詳細に説明する。
【００２７】
一般に、液晶表示装置は、スキャン信号を伝達する複数のゲートラインと、ゲートラインに交差して形成されてデータ電圧を伝達する複数のデータラインとを含む。また、液晶表示装置は、ゲートラインとデータラインとにより囲まれた領域に形成されゲートラインとデータラインとに連結される複数のスイッチング素子と、スイッチング素子により制御される複数の画素とをさらに含む。
【００２８】
液晶表示装置において、各画素は液晶を誘電体として有するキャパシタ、即ち、液晶キャパシタとしてモデリングすることができるが、このような液晶表示装置での各画素の等価回路は図２のようである。
【００２９】
図２に示したように、液晶表示装置の各画素は、データライン（Ｄｐ）とゲートライン（Ｇｑ）とにそれぞれソース電極とゲート電極とが連結される薄膜トランジスタ（以下、ＴＦＴ）１０により制御される。ここで、各画素は、ＴＦＴ１０のドレーン電極に接続された画素電極（図示せず）と、共通電圧（Ｖｃｏｍ）が印加されている共通電極（図示せず）と、その間に存在する液晶とを含む。ＴＦＴ１０がＯＮ／ＯＦＦすることにより、画素電極（図示せず）と共通電極（図示せず）との間にかけられる電圧が変えられて、画素電極（図示せず）と共通電極（図示せず）との間にある液晶における光の透過率が変化させられる。このとき、画素電極（図示せず）と共通電極（図示せず）との間にある液晶は、液晶キャパシタ（Ｃｌｃ）として作用する。また、液晶キャパシタ（Ｃｌｃ）の容量を保持するために、ＴＦＴ１０のドレーン電極にストレージキャパシタ（Ｃｓｔ）が液晶キャパシタ（Ｃｌｃ）と並列に連結されている。
【００３０】
動作時、ゲートライン（Ｇｑ）にゲートオン信号が印加されてＴＦＴ１０がターンオンされると、データライン（Ｄｐ）に供給されたデータ電圧（Ｖｄ）がＴＦＴ１０を通じて画素電極（図示せず）に印加される。そうすると、画素電極（図示せず）に印加される画素電圧（Ｖｐ）と共通電極（図示せず）に印加される共通電圧（Ｖｃｏｍ）との差に該当する電界が液晶（図２では、等価的に液晶キャパシタ（Ｃｌｃ）で示した）に印加されて、電界の強さに対応する透過率で光が透過されるようにする。この際、画素電圧（Ｖｐ）は、１フレーム期間維持されなければならないが、図２において、ストレージキャパシタ（Ｃｓｔ）は、画素電極に印加された画素電圧（Ｖｐ）を１フレーム期間維持するために、補助的に用いられる。
【００３１】
一方、液晶は、誘電率異方性を有するので、液晶の方向によって誘電率が相違するという特性がある。即ち、電圧が印加されるにしたがって、液晶の方向子が変化すると、誘電率も変化して、これによって液晶キャパシタ（Ｃｌｃ）のキャパシタンス（以下では、これを液晶キャパシタンスという）も変化する。ＴＦＴ１０がターンオンされる期間に液晶キャパシタ（Ｃｌｃ）に電荷を供給した後、ＴＦＴ１０がターンオフ状態になるが、Ｑ＝ＣＶであるので、液晶キャパシタンスが変化すると、液晶にかかる画素電圧（Ｖｐ）も変化する。
【００３２】
ノーマリーホワイトモード（Ｎｏｒｍａｌｌｙ  ｗｈｉｔｅ  ｍｏｄｅ）であるＴＮ（Ｔｗｉｓｔｅｄ  Ｎｅｍａｔｉｃｓ）液晶表示装置を例として挙げると、画素に供給される画素電圧が０Ｖである場合には、液晶分子が基板に平行な方向に配列されているので、液晶キャパシタンスは、Ｃ（０Ｖ）＝ε⊥Ａ／ｄになる。ここで、ε⊥は、液晶分子が基板に平行な方向に配列された場合、即ち、液晶分子が光の方向と垂直方向に配列された場合の誘電率を示し、Ａとｄとは、それぞれ液晶表示装置基板の面積と基板間の距離を示す。フルブラック（ｆｕｌｌ  ｂｌａｃｋ）を実現するための電圧が５Ｖとすると、液晶に５Ｖが印加される場合、液晶分子が基板に垂直方向に配列されるので、液晶キャパシタンスは、Ｃ（５Ｖ）＝ε‖Ａ／ｄになる。ＴＮモードに用いられる液晶の場合には、ε‖−ε⊥＞０であるので、液晶に印加される画素電圧が高くなるほど、液晶キャパシタンスが大きくなる。
【００３３】
ｎ番目フレームでフルブラックを作るために、ＴＦＴが充電させなければならない電荷量は、Ｃ（５Ｖ）×５Ｖである。しかし、以前フレームであるｎ−１番目フレームでフルホワイト（Ｖｎ−１＝０Ｖ）であったと仮定すると、ＴＦＴがターンオンする瞬間は、液晶が応答する前の状態であるので、液晶キャパシタンスはＣ（０Ｖ）の状態である。従って、フルブラックを作るために、ｎ番目フレームで５Ｖのデータ電圧（Ｖｄ）を印加しても、実際に画素に充電される電荷量はＣ（０Ｖ）×５Ｖになり、Ｃ（０Ｖ）＜Ｃ（５Ｖ）であるので、液晶に実際に供給される画素電圧（Ｖｐ）は、５Ｖ未満の画素電圧が（例えば、３.５Ｖ）が印加されて、フルブラックが実現されない。
【００３４】
また、次フレームであるｎ＋１番目フレームでフルブラックを実現するためにデータ電圧（Ｖｄ）を５Ｖ印加した場合に、液晶に充電される電荷量がＣ（３.５Ｖ）×５Ｖになり、結果的に液晶に供給される電圧（Ｖｐ）は、３.５Ｖ〜５Ｖになる。このような過程を繰り返すと、結局幾つかのフレーム期間の後でなければ画素電圧（Ｖｐ）が所望する電圧に到達しないことになる。
【００３５】
これを階調の観点で説明すると、任意の画素に印加される信号（画素電圧）が低い階調から高い階調に（または、高い階調から低い階調に）変化する場合、現在フレームの階調は、以前フレームの階調の影響を受けるので、すぐ所望する階調に到達せず、幾つかのフレーム期間が経過した後でなければ所望する階調に到達しない。同様に、現在フレームの画素の透過率は、以前フレームの画素の透過率の影響を受けて、幾つかのフレーム期間が経過した後でなければ所望する透過率にならない。
【００３６】
一方、以前フレームであるｎ−１番目フレームがフルブラックであり、即ち、画素電圧（Ｖｐ）が５Ｖであり、現在フレームであるｎ番目フレームでフルブラックを実現するために、５Ｖのデータ電圧が印加されたとすると、液晶キャパシタンスはＣ（５Ｖ）であるので、画素にはＣ（５Ｖ）×５Ｖに該当する電荷量が充電され、これにより液晶の画素電圧（Ｖｐ）は５Ｖになる。
【００３７】
このように、液晶に実際に供給される画素電圧（Ｖｐ）は、現在フレームに供給されるデータ電圧のみならず、以前フレームの画素電圧（Ｖｐ）によっても決定されることが分かる。
【００３８】
図３は、一般的な駆動方式で印加される場合のデータ電圧及び画素電圧を示す図である。
【００３９】
図３に示したように、一般的な駆動方式では、以前フレームの画素電圧（Ｖｐ）を考慮せず、目標画素電圧（Ｖｗ）に該当するデータ電圧（Ｖｄ）をフレームごとに印加している。従って、実際液晶に印加される電圧である実際画素電圧（Ｖｐ）は、前述したように以前フレームの画素電圧に対応する液晶キャパシタンスにより目標画素電圧（Ｖｗ）より低くまたは高くなる。従って、幾つかのフレーム期間が経過した後でなければ目標画素電圧（Ｖｗ）に到達しないことになる。
【００４０】
図４は、図３に示す一般的な駆動方法による液晶表示装置の透過率を示す図である。
【００４１】
図４に示したように、一般的な駆動方式では、前述したように１フレーム期間に実際画素電圧（Ｖｐ、図３参照）が目標画素電圧（Ｖｗ、図３参照）に到達しないので、液晶の透過率が幾つかのフレーム期間を経過した後でなければ目標透過率に到達しないことになる。
【００４２】
しかし、本発明では、現在フレームの画像信号（Ｐｎ）が入力されて、以前フレームの画像信号（Ｐｎ−１）と次フレームの画像信号（Ｐｎ＋１）とを比較して次のような補償画像信号（Ｐｎ′）を生成した後、補償画像信号（Ｐｎ′）を各画素に印加する。ここで、画像信号（Ｐｎ）は、液晶表示装置がアナログ駆動方式を採用する場合には、データ電圧を意味するが、デジタル駆動方式を採用する場合には、データ電圧を制御するために二進化された階調信号（または、階調データ）を用いるので、実際に画素に印加される電圧の補償は、階調信号の補償を通じて達成される。
【００４３】
第一に、現在フレームの画像信号（データ電圧または階調信号）が以前フレームの画像信号と同じであるか、類似していると、補償を行わない。
【００４４】
第二に、現在フレームの階調信号が以前フレームの階調信号より高い場合には、現在フレームの階調信号より更に高い補償された階調信号を出力し、現在フレームの階調信号が以前フレームの階調信号より低い場合には、現在フレームの階調信号より更に低い補償された階調信号を出力する。この際、補償が行われる程度は、現在フレームの階調信号と以前フレームの階調信号と次フレームの階調信号との差に比例する。
【００４５】
以上では、液晶の応答速度を高速化する概念を簡略に説明し、以下では本発明と関連して温度変化に対応して液晶の応答速度を補償することにより、応答速度を高速化するための実施例を説明する。
【００４６】
図５は、本発明による表示システムを説明するための図であって、特に、温度補償のための表示システムを示す。
【００４７】
図５を参照すると、温度補償のための表示システムは、原始階調データと補償データとを出力する画像信号ソース１００と、原始階調データ及び補償データに基づいて画像を表示する液晶表示装置２００とを含む。
【００４８】
画像信号ソース１００は、データ処理部１１０、メモリ（ＲＯＭ）１２０及びマイクロコントローラ１３０を含む。画像信号ソース１００は、画像を表示するための原始階調データを液晶表示装置２００に出力し、感知される温度信号に対応する補償データを液晶表示装置２００に出力する。ここで、画像信号ソース１００は、コンピュータに採用される本体やＴＶに採用される信号処理ブロック等として液晶表示装置２００に連結される多様なホストである。
【００４９】
より詳細には、データ処理部１１０は、画像を表示するための原始階調データ（Ｒ，Ｇ，Ｂ）を液晶表示装置２００に出力する。
【００５０】
メモリ（ＲＯＭ）１２０は、液晶表示装置２００に具備される液晶の応答速度を向上させるための温度区間別に補償データを記憶する。この際、補償データは、一定温度区間別に分離された互いに異なる複数のルックアップテーブル（以下、ＬＵＴとする）としてメモリ（ＲＯＭ）１２０に記憶されることが好ましい。ここで、ＬＵＴは、階調の値と補償データとを対応づけたテーブルである。
【００５１】
マイクロコントローラ１３０は、外部の温度センサー５０により感知される温度信号に対応して、メモリ（ＲＯＭ）１２０に記憶されている複数のＬＵＴのうちいずれか一つから、該当温度に対応する補償データ１３２を選択して読み出して液晶表示装置２００に出力する。
【００５２】
一方、液晶表示装置２００は、タイミング制御部２１０、第１メモリ（ＥＥＰＲＯＭ）２２０、第３メモリ（ＳＤＲＡＭ）２３０、データドライバー２４０及び液晶パネル２５０を含み、画像信号ソース１００から原始階調データ（Ｒ，Ｇ，Ｂ）が提供されることにより、第１メモリ（ＥＥＰＲＯＭ）２２０を経由して入力される補償データ２２２に基づいて液晶の応答速度を高速化するための補償階調データ（Ｒ’，Ｇ’，Ｂ’）を生成して画像を表示する。ここで、補償データ２２２は、液晶表示装置２００の周辺温度に適応するデータであることが好ましく、周辺温度が変動することによって画像信号ソースにより更新されることが好ましい。
【００５３】
具体的には、タイミング制御部２１０は、データ処理部１１０から原始階調データ（Ｒ，Ｇ，Ｂ）が提供されて、原始階調データ（Ｒ，Ｇ，Ｂ）を液晶パネル２５０に適合するように変換してデータドライバー２４０に提供する。すなわち、タイミング制御部２１０は、液晶の応答速度を高速化するために、以前フレームに対応する原始階調データと現在フレームに対応する原始階調データとに基づいて、補償階調データ（Ｒ’，Ｇ’，Ｂ’）を生成してデータドライバー２４０に提供する。
【００５４】
第１メモリ（ＥＥＰＲＯＭ）２２０は、マイクロコントローラ１３０から補償データ１３２の提供を受けて記憶し、タイミング制御部２１０の要請に応答して補償データ２２２をタイミング制御部２１０に提供する。この際、補償データは、一定温度区間別に分離された互いに異なる複数のルックアップテーブル（以下、ＬＵＴとする）として第１メモリ（ＥＥＰＲＯＭ）２２０に記憶されることが好ましい。
【００５５】
仮に、原始階調データが８ビット（ＲＧＢデータは、２４ビット）であると、全体階調である８ビットそれぞれに対応する補償データである可能性もあり、８ビットよりは小さい４または６ビット等それぞれに対応する補償データである可能性もある。４ビットまたは６ビットの提供を受けると、マイクロコントローラ１３０では、液晶の応答速度を高速化するための補償として、４ビットまたは６ビットに対応したＬＵＴを用いて補償し、残りのビットに対応して補間法（ｉｎｔｅｒｐｏｌａｔｉｏｎ）を用いて８ビットに補間して補償することが好ましい。
【００５６】
第３メモリ（ＳＤＲＡＭ）２３０は、タイミング制御部２１０を経由して原始階調データが提供されて、原始階調データを記憶する。第３メモリ（ＳＤＲＡＭ）２３０は、タイミング制御部２１０の要請に応答して該当原始階調データをタイミング制御部２１０に出力する。
【００５７】
データドライバー２４０は、タイミング制御部２１０から補償階調データ（Ｒ’，Ｇ’，Ｂ’）が提供されて、これをアナログ電圧形態に変換して液晶パネル２５０に形成されたデータラインに提供する。
【００５８】
動作時、前記した表示システムを零下（０℃以下）で動作させた時、初期には低温区間に適合したＬＵＴを用いて液晶の応答速度を高速化する動作を行い、時間が経過して内部発熱によって漸次温度が上昇することにより、上昇された温度区間に適合したＬＵＴを用いて液晶の応答速度を高速化する動作を行う。
【００５９】
仮に、表示システムが自動方式に設定されている場合、温度センサー５０により感知される温度区間が変更されたとマイクロコントローラ１３０が判断したときに、マイクロコントローラ１３０がＬＵＴ変更を待機し、チャンネル変更等のイベント発生時点にＬＵＴに対応する補償データ１３２をメモリ（ＲＯＭ）１２０から読み出して第１メモリ（ＥＥＰＲＯＭ）２２０に提供する。これにより、温度に適応して液晶の応答速度を高速化する。この際、補償データ１３２、２２２を伝送する途中、液晶表示装置２００による記憶の誤動作を防止するためには、液晶表示装置２００の電源も共に制御することが好ましい。
【００６０】
一方、表示システムが受動方式に設定されている場合、マイクロコントローラ１３０と第１メモリ（ＥＥＰＲＯＭ）２２０との間に連結されたＩ２Ｃバスを制御することにより、第１メモリ（ＥＥＰＲＯＭ）２２０のＬＵＴを変更することが可能である。この際にも、Ｉ２Ｃバスを通じてＬＵＴに記憶されたデータを伝送する途中、液晶表示装置２００による記憶の誤動作を防止するためには、液晶表示装置２００の電源も共に制御することが好ましい。
【００６１】
ＬＵＴが第１メモリ（ＥＥＰＲＯＭ）２２０に記憶された後に、マイクロコントローラ１３０でタイミング制御部２１０を直接制御して、第１メモリ（ＥＥＰＲＯＭ）２２０でタイミング制御部２１０の内部ＲＯＭにＬＵＴをダウンロードすることが可能である。
【００６２】
この際、ユーザは、ＬＵＴが変更される時間が過度に長いと判断される場合、画面が消える現象を不良であると認識する可能性がある。この際、画像信号ソース１００のメモリ（ＲＯＭ）１２０に既に記憶された特定アラームメッセージを見せることにより、ユーザの不満を低減することが可能である。
【００６３】
図６は、図５の画像信号ソース１００の一例を説明するための図であって、特に、温度補償のための画像信号ソース１００の一例を説明するための図である。
【００６４】
図６を参照すると、画像信号ソース１００は、データ処理部１１０、メモリ（ＲＯＭ）１２０、補助メモリ（ＲＯＭ）１２５、マイクロコントローラ１３０、アナログ−デジタル変換部（ＡＤＣ）１３５及び電圧発生部１４０を含む。
【００６５】
データ処理部１１０は、画像を表示するための原始階調データ（Ｒ，Ｇ，Ｂ）を液晶表示装置２００に出力する。
【００６６】
メモリ（ＲＯＭ）１２０は、液晶表示装置２００に備えられる液晶の応答速度を向上させるための補償データ、好ましくは温度区間別に補償データを記憶する。この際、補償データは、一定温度区間別に区別された互いに異なる複数のＬＵＴとしてメモリ（ＲＯＭ）１２０に記憶されることが好ましい。例えば、−１０℃〜０℃の温度区間に対応して補償データを記憶する第１ＬＵＴと、０℃〜１０℃の温度区間に対応して補償データを記憶する第２ＬＵＴと、１０℃〜２０℃の温度区間に対応して補償データを記憶する第３ＬＵＴと、２０℃〜３０℃の温度区間に対応して補償データを記憶する第４ＬＵＴ等が、メモリ（ＲＯＭ）１２０に記憶される。
【００６７】
補助メモリ（ＲＯＭ）１２５は、本体またはリモコンで項目別特性値を変更するに必要なデータであるＯＳＤ（Ｏｎ  Ｓｃｒｅｅｎ  Ｄｉｓｐｌａｙ）データを記憶する。一般に、ＴＶのような画像信号ソースには、表示装置の多様な機能をユーザが直接制御することができるようにするＯＳＤ機能が存在するが、この際に用いられるデータがＯＳＤデータである。特に、本発明に関して、液晶表示装置の応答速度をユーザが直接制御することができるＯＳＤ項目が記憶されていることが好ましい。例えば、ＯＳＤ項目に＜温度に反応するモード＞と＜基本値維持モード＞等に分割して設定することにより、動画像画質に敏感なユーザの不満を解消することができる。
【００６８】
マイクロコントローラ１３０は、データ処理部１１０が原始階調データ（Ｒ，Ｇ，Ｂ）を出力することによって、原始階調データを表示するための各種同期信号（Ｈｓｙｎｃ，Ｖｓｙｎｃ）と、データイネイブル信号（ＤＥ）と、メインクロック（ＭＣＬＫ）を液晶表示装置２００に出力する。また、マイクロコントローラ１３０は、外部の温度信号をデジタル形態に変換するアナログ−デジタル変換部（ＡＤＣ）１３５を経由して温度データが入力されて、複数のＬＵＴのうち、該当温度に対応する補償データ１３２を読み出して液晶表示装置２００に出力する。
【００６９】
即ち、温度信号が、温度センサー５０からアナログ−デジタル変換部（ＡＤＣ）１３５に入力されて、アナログ−デジタル変換部（ＡＤＣ）１３５でアナログ信号からデジタル信号に変換され、アナログ−デジタル変換部（ＡＤＣ）１３５からマイクロコントローラ１３０へ出力される。温度信号が既に設定された温度区間を外れるか否かをマイクロコントローラ１３０がチェックして、温度区間を外れるとチェックされる場合には、該当温度に対応するＬＵＴがメモリ（ＲＯＭ）１２０から読み出され、読み出されたＬＵＴから補償データ１３２が読み出されて液晶表示装置２００に提供される。この際、補償データ１３２の伝送経路としては、集積回路間の通信リンクを提供する２つの線の両方向直列バスであるＩ２Ｃ（Ｉｎｔｅｒ−ＩＣ）バス方式を採用することが好ましい。
【００７０】
電圧発生部１４０は、マイクロコントローラ１３０の動作のための電源を供給する。特に、マイクロコントローラ１３０が補償データ１３２を液晶表示装置２００に提供する時、誤動作を防止するためにマイクロコントローラ１３０に独立的に電源を供給することが好ましい。
【００７１】
図７は、図５の液晶表示装置２００の一例を説明するための図であって、特に、温度補償のための液晶表示装置２００の一例を説明するための図である。
【００７２】
図７に示したように、液晶表示装置２００は、タイミング制御部２１０、第１メモリ（ＥＥＰＲＯＭ）２２０、第３メモリ（ＳＤＲＡＭ）２３０、データドライバー２４０、液晶パネル２５０、スキャンドライバー２６０及び電圧発生部２７０を含む。
【００７３】
タイミング制御部２１０は、画像信号ソース１００（図５参照）のデータ処理部１１０（図５参照）から原始階調データ（Ｒ，Ｇ，Ｂ）を受け取る。タイミング制御部２１０は、画像信号ソース１００（図５参照）のマイクロコントローラ１３０（図５参照）から、各種同期信号（Ｈｓｙｎｃ、Ｖｓｙｎｃ）とデータイネイブル信号（ＤＥ）とメインクロック（ＭＣＬＫ）とを受け取る。タイミング制御部２１０は、温度に適応して液晶の応答速度を高速化するための補償階調データ（Ｒ’，Ｇ’，Ｂ’）と補償階調データ（Ｒ’，Ｇ’，Ｂ’）を出力するためのデータ駆動信号（ＬＯＡＤ、ＳＴＨ）とをデータドライバー２４０に出力し、補償階調データ（Ｒ’，Ｇ’，Ｂ’）を出力するためのスキャン駆動信号（ＧＡＴＥ  ＣＬＫ、ＳＴＶ）をスキャンドライバー２６０に出力する。
【００７４】
具体的には、タイミング制御部２１０が、第１メモリ（ＥＥＰＲＯＭ）２２０を経由してマイクロコントローラ１３０から補償データ２２２を受け取る。タイミング制御部２１０が、補償データ２２２をＬＵＴとして記憶する。もちろん、前記したＬＵＴ形態の補償データ２２２を記憶するために、タイミング制御部２１０は、別のメモリ（図示せず）を更に具備してもよい。
【００７５】
次に、タイミング制御部２１０は、画像信号ソース１００に具備されるデータ処理部１１０から原始階調データ（Ｒ，Ｇ，Ｂ）を受け取る。タイミング制御部２１０は、ＬＵＴ形態に記憶された補償データ２２２に基づいて、液晶の応答速度を高速化するために、現在フレームの階調データと以前フレームの階調データとを考慮して補償階調データ（Ｒ’，Ｇ’，Ｂ’）を生成する。タイミング制御部２１０は、補償階調データ（Ｒ’，Ｇ’，Ｂ’）をデータ信号に変換してデータドライバー２４０に出力する。
【００７６】
第１メモリ（ＥＥＰＲＯＭ）２２０は、液晶の応答速度を高速化する補償のための補償データ１３２を一時的に記憶し、タイミング制御部２１０の要請に応答して記憶された補償データ２２２を提供する。特に、補償データ２２２は、温度に適応するようにデータ補償程度を決定して記憶されることが好ましい。仮に温度の変動がある場合、第１メモリ（ＥＥＰＲＯＭ）２２０は、マイクロコントローラ１３０から変動された温度に対応される補償データ１３２を受け取って記憶し、タイミング制御部２１０の要請に応答して記憶された補償データ２２２をタイミング制御部２１０に出力する。
【００７７】
第３メモリ（ＳＤＲＡＭ、Ｓｙｎｃｈｒｏｎｏｕｓ  ＤＲＡＭ）２３０は、原始階調データを記憶する。具体的に、第３メモリ（ＳＤＲＡＭ）２３０を、第１メモリバンク（ＳＤＲＡＭ  ＃１）２３２と第２メモリバンク（ＳＤＲＡＭ  ＃２）２３４とに論理的に分割する。第１メモリバンク（ＳＤＲＡＭ  ＃１）２３２には、現在フレームの１／２に該当する原始階調データが記録される間、第２メモリバンク（ＳＤＲＡＭ  ＃２）２３４から以前フレームの１／２に該当される原始階調データが読み取られる。もちろん、その逆も可能である。このように、第３メモリ（ＳＤＲＡＭ）２３０を第１メモリバンク（ＳＤＲＡＭ  ＃１）２３２と第２メモリバンク（ＳＤＲＡＭ  ＃２）２３４とに論理的に分割することにより、データの記録動作と読み取り動作を連続的に行うことができる。
【００７８】
データドライバー２４０は、タイミング制御部２１０から補償階調データ（Ｒ’，Ｇ’，Ｂ’）が受信されるにつれて、該当階調電圧（データ電圧またはデータ信号）に変更し、変更されたデータ信号（Ｄ１、Ｄ２、．．．、Ｄｍ）を液晶パネル２５０に供給する。
【００７９】
液晶パネル２５０には、ゲートオン信号を伝達するための複数のゲートライン（走査ラインまたはスキャンライン）が形成されており、変更されたデータ信号（Ｄ１、Ｄ２、．．．、Ｄｍ）を伝達するためのデータライン（またはソースライン）が形成されている。ゲートラインとデータラインとにより囲まれた領域は、それぞれ画素を形成する。各画素、データライン（Ｄｐ）とゲートライン（Ｇｑ）とにそれぞれソース電極とゲート電極とが連結される薄膜トランジスタ１１０’により制御される。ここで、各画素は、薄膜トランジスタ１１０’のドレーン電極に接続された画素電極（図示せず）と、共通電圧（Ｖｃｏｍ）が印加されている共通電極（図示せず）と、その間に存在する液晶とを含む。薄膜トランジスタ１１０’がＯＮ／ＯＦＦすることにより、画素電極（図示せず）と共通電極（図示せず）との間にかけられる電圧が変えられて、画素電極（図示せず）と共通電極（図示せず）との間にある液晶における光の透過率が変化させられる。このとき、画素電極（図示せず）と共通電極（図示せず）との間にある液晶は、液晶キャパシタ（Ｃｌｃ）として作用する。また、液晶キャパシタ（Ｃｌｃ）の容量を保持するために、薄膜トランジスタ１１０’のドレーン電極にストレージキャパシタ（Ｃｓｔ）が液晶キャパシタ（Ｃｌｃ）と並列に連結されている。
【００８０】
スキャンドライバー２６０は、スキャン駆動信号（ＧＡＴＥ  ＣＬＫ、ＳＴＶ）に基づいて、ゲートラインを活性化させて薄膜トランジスタ１１０’をターンオンさせるためのゲートオン信号（Ｓ１、Ｓ２、Ｓ３、．．．、Ｓｎ）を順次印加する。
【００８１】
第２電圧発生部２７０は、液晶表示装置２００の電源を制御する。通常的に温度に適応する補償データ１３２を記憶するＬＵＴを第１メモリ（ＥＥＰＲＯＭ）２２０に記憶する間、誤動作を防止しなければならないので、第２電圧発生部２７０を用いて液晶表示装置２００の電源を制御することが好ましい。
【００８２】
以上では、デジタルインターフェースを具備して、外部からデジタル値である階調データの提供を受ける液晶表示装置を主として説明したが、当業者なら外部から提供されるアナログ値をデジタル値に変換するインターフェースを具備するアナログ液晶表示装置にも同様に適用することができるのは自明である。
【００８３】
以上では、液晶表示装置が画像信号ソースから原始階調データと共に原始階調データを用いて表示する時、液晶の応答速度を温度に適応して高速化するために、補償データの提供を受けることを説明した。しかし、当業者なら、液晶表示装置が画像信号ソースから原始階調データのみを提供受け、液晶表示装置が自体の内部温度を感知して原始階調データを温度によって補償することもできる。
【００８４】
この際、液晶表示装置は、温度区間別に補償データを記憶する複数のＬＵＴを具備し、感知される温度によってＬＵＴを選択し、選択されたＬＵＴを用いた補償を通じて温度に適応する液晶の応答速度を維持することもできるのは自明である。
【００８５】
図８は、図７の液晶表示装置２００の他の一例を説明するための図である。説明の便宜上、図７で説明したタイミング制御部２１０と第１メモリ（ＥＥＰＲＯＭ）２２０のみを図示する。
【００８６】
図８に示したように、本発明の他の実施例によるタイミング制御部２１０は、シリアル−パラレル変換部２１１０、第２メモリ（ＲＯＭ）２１２０、第１スイッチング部２１３０、第２スイッチング部２１４０、第３スイッチング部２１５０及びＲＡＭ２１６０を含む。第１メモリ（ＥＥＰＲＯＭ）２２０には、複数のＬＵＴが記憶されている。ここで、ＬＵＴは、階調の値と第１補償データとを対応づけたテーブルである。第１メモリ（ＥＥＰＲＯＭ）２２０は、ＴＶセット（図５に示す画像信号ソース１００）から提供されるＬＵＴ選択信号に基づいて、ＬＵＴ選択信号に対応するＬＵＴを選択する。ＲＡＭ２１６０は、選択されたＬＵＴを受け取り記憶する。タイミング制御部２１０は、ＲＡＭ２１６０に記憶されたＬＵＴを用いて液晶の応答速度を高速化する補正動作を行う。第１スイッチング部２１３０、第２スイッチング部２１４０及び第３スイッチング部２１５０は、マルチプレクサで実現する。
【００８７】
シリアル−パラレル変換部２１１０は、第１メモリ（ＥＥＰＲＯＭ）２２０から提供されるシリアルタイプの第１補償データをパラレル変換して、第１スイッチング部２１３０に出力する。
【００８８】
第２メモリ（ＲＯＭ）２１２０は、液晶表示装置に具備される液晶の応答速度を向上させるための第２補償データを記憶する。第２メモリ（ＲＯＭ）２１２０に記憶される第２補償データは、液晶表示装置２００を製造する製造者側で液晶表示装置２００に最適に設定したデータである。例えば、第２補償データは、周辺温度が平均的な温度である場合の補償データとしてもよい。
【００８９】
第１スイッチング部２１３０は、伝送クロック（Ｉ２Ｃ_ＬＩ）に応答して、シリアル−パラレル変換部２１１０から出力される第１補償データ２２２及び第２メモリ（ＲＯＭ）２１２０から出力される第２補償データのいずれか一方がＲＡＭ２１６０に記憶されるように出力する。
ここで、伝送クロック（Ｉ２Ｃ_ＬＩ）は、第１メモリ（ＥＥＰＲＯＭ）２２０からシリアル−パラレル変換部２１１０に第１補償データを伝送するためのクロック信号である。例えば、伝送クロック（Ｉ２Ｃ_ＬＩ）がアクティブ状態である場合、シリアル−パラレル変換部２１１０から出力される第１補償データをＲＡＭ２１６０に出力し、伝送クロック（Ｉ２Ｃ_ＬＩ）が非アクティブ状態である場合、第２メモリ（ＲＯＭ）２１２０から出力される第２補償データをＲＡＭ２１６０に出力する。これにより、第１補償データが伝送されない場合でも、第２補償データにより液晶の応答速度を向上させるための補償を行うことができる。
【００９０】
第２スイッチング部２１４０は、伝送クロック（Ｉ２Ｃ_ＬＩ）に応答して、シリアルクロックＳＣＬ及びドットクロックＤＣＬＫのいずれか一方を第３スイッチング部２１５０に出力する。ここで、シリアルクロックＳＣＬは、シリアル−パラレル変換部２１１０を制御するためのクロック信号である。ドットクロックＤＣＬＫは、画素を制御するためのクロック信号である。例えば、伝送クロック（Ｉ２Ｃ_ＬＩ）がアクティブ状態である場合、シリアルクロックＳＣＬを第３スイッチング部２１５０に出力し、伝送クロック（Ｉ２Ｃ_ＬＩ）が非アクティブ状態である場合、ドットクロックＤＣＬＫを第３スイッチング部２１５０に出力する。これにより、第１補償データのシリアル−パラレル変換部２１１０への伝送が開始されるまでは、ドットクロックＤＣＬＫに同期して第１補償データ又は第２補償データがＲＡＭ２１６０に記憶されるようにし、第１補償データのシリアル−パラレル変換部２１１０への伝送が開始された後は、シリアルクロックＳＣＬに同期して第１補償データ又は第２補償データがＲＡＭ２１６０に記憶されるようにすることが可能である。
【００９１】
第３スイッチング部２１５０は、伝送完了クロック（Ｉ２Ｃ_ＤＯＮＥ）に応答して、第１スイッチング部２１３０から出力されるデータがＲＡＭ２１６０に記憶されることを制御するために、第２スイッチング部２１４０から出力されるクロック及びドットクロックＤＣＬＫのいずれか一方をＲＡＭ２１６０に出力する。ここで、伝送完了クロック（Ｉ２Ｃ_ＤＯＮＥ）は、シリアル−パラレル変換部２１１０への第１補償データの伝送を完了させるためのクロック信号である。例えば、伝送完了クロック（Ｉ２Ｃ_ＤＯＮＥ）がアクティブ状態である場合、ドットクロックＤＣＬＫをＲＡＭ２１６０に出力し、伝送完了クロック（Ｉ２Ｃ_ＤＯＮＥ）が非アクティブ状態である場合、第２スイッチング部２１４０から出力されるクロックをＲＡＭ２１６０に出力する。これにより、第１補償データのシリアル−パラレル変換部２１１０への伝送が行われていないときは、ドットクロックＤＣＬＫに同期して第１補償データ又は第２補償データがＲＡＭ２１６０に記憶されるようにし、第１補償データのシリアル−パラレル変換部２１１０への伝送が行われている間は、シリアルクロックＳＣＬに同期して第１補償データ又は第２補償データがＲＡＭ２１６０に記憶されるようにすることが可能である。すなわち、第１補償データのシリアル−パラレル変換部２１１０への伝送が行われているか否かに応じて、第１補償データ又は第２補償データがＲＡＭ２１６０に記憶されるタイミングを変えることができる。
【００９２】
以上では、液晶の応答速度を高速化するために、周辺温度に基づいて互いに異なる温度区間に対応する複数のＬＵＴのうち、いずれか一つを読み出して用いることを説明した。
【００９３】
しかし、液晶の応答速度に影響する要素には、前記した周辺温度以外に、周波数すなわち垂直同期信号が更に存在する。即ち、液晶の応答速度を補償するための補償量は、周辺温度が高温であるほど、小さくても所望する目標電圧値に到達することができる（図１，図３参照）。また、液晶の応答速度を補償するための補償量は、垂直同期信号の周波数が上昇するほど、より短くなった１フレーム期間内に目標電圧値に到達する必要が生ずるため、大きくならなければならない（図３参照）。
【００９４】
一方、第１メモリ（ＥＥＰＲＯＭ）２２０で選択されたＬＵＴに対応するデータが伝送クロック（Ｉ２Ｃ_ＬＩ）により電源オフなしにＲＡＭ２１６０に記憶される時、ドットクロックＤＣＬＫより非常に遅い（クロック周期が長い）シリアルクロックＳＣＬを用いるので、フレームとフレームとの間の時間すなわちフレームブランキング期間で、ＬＵＴをＲＡＭ２１６０に記憶する動作を行わなければならない。
【００９５】
これにより、動画像のように実時間に入力される階調データに対するオーバーシュートする従来のＬＵＴ値を用いると、データ衝突及びローディング時間遅延によりユーザに観察される画面上には、ノイズや色反転、階調変化等の歪曲現象を誘発するおそれがある。
【００９６】
即ち、一つのフレーム内に変動前の温度区間に対応するＬＵＴと変動後の温度区間に対応するＬＵＴとが混在しているので、ユーザ側では画面に歪曲が発生したと誤解するおそれがある。
【００９７】
以下では、液晶の応答速度を高速化するために、周辺温度のみならず垂直同期信号の変化をも考慮して選択されたＬＵＴを適用することにより、別に電源をオフさせなくても、ユーザ側になめらかな画像を表示することが可能な例について、図９を参照して説明する。
【００９８】
図９は、図７に図示された液晶表示装置の他の実施例を説明するための図である。説明の便宜上、図７で説明したタイミング制御部２１０と第１メモリ（ＥＥＰＲＯＭ）２２０のみを図示する。
【００９９】
図９に示したように、本発明の他の実施例によるタイミング制御部２１０は、シリアル−パラレル変換部２２１０、第１スイッチング部２２２０、アンドゲート２２３０、第２スイッチング部２２４０、第２メモリ（ＲＯＭ）２２５０、バッファー２２６０、第３スイッチング部２２７０及びＲＡＭ２２８０を含む。第１メモリ（ＥＥＰＲＯＭ）２２０には、複数のＬＵＴが記憶されている。第１メモリ（ＥＥＰＲＯＭ）２２０は、ＴＶセット（図５に示す画像信号ソース１００）から提供されるＬＵＴ選択信号に基づいて、ＬＵＴ選択信号に対応するＬＵＴを選択する。ＲＡＭ２２８０は、選択されたＬＵＴを受け取り記憶する。タイミング制御部２１０は、ＲＡＭ２２８０に記憶されたＬＵＴを用いて液晶の応答速度を高速化するための補償動作を行う。第１スイッチング部２２２０、第２スイッチング部２２４０及び第３スイッチング部２２７０は、マルチプレクサで実現する。
【０１００】
シリアル−パラレル変換部２２１０は、第１メモリ（ＥＥＰＲＯＭ）２２０から提供されるシリアルタイプの第１補償データ２２２をパラレル変換して、バッファー２２６０に出力する。
【０１０１】
第１スイッチング部２２２０は、伝送クロック（Ｉ２Ｃ_ＬＩ）に応答して、シリアルクロックＳＣＬまたはドットクロックＤＣＬＫのいずれか一方を第２スイッチング部２２４０に出力する。ここで、伝送クロック（Ｉ２Ｃ_ＬＩ）は、第１メモリ（ＥＥＰＲＯＭ）２２０からシリアル−パラレル変換部２２１０に第１補償データ２２２を伝送するためのクロック信号である。例えば、伝送クロック（Ｉ２Ｃ_ＬＩ）がアクティブ状態である場合、シリアルクロックＳＣＬを第２スイッチング部２２４０に出力し、伝送クロック（Ｉ２Ｃ_ＬＩ）が非アクティブ状態である場合、ドットクロックＤＣＬＫを第２スイッチング部２２４０に出力する。これにより、第１補償データのシリアル−パラレル変換部２１１０への伝送が開始されるまでは、ドットクロックＤＣＬＫを第２スイッチング部２２４０に供給するようにし、第１補償データのシリアル−パラレル変換部２１１０への伝送が開始された後は、シリアルクロックＳＣＬを第２スイッチング部２２４０に供給するようにすることが可能である。
【０１０２】
アンドゲート２２３０は、伝送完了クロック（Ｉ２Ｃ_ＤＯＮＥ）と垂直同期信号ＶＳＹＮＣとをアンド演算して、アンド演算されたクロック（ＶＳＹＮＣ＆Ｉ２Ｃ_ＤＯＮＥ）を第２スイッチング部２２４０に出力する。
ここで、伝送完了クロック（Ｉ２Ｃ_ＤＯＮＥ）は、シリアル−パラレル変換部２２１０への第１補償データ２２２の伝送を完了させるためのクロック信号である。これにより、第１補償データ２２２のシリアル−パラレル変換部２１１０への伝送が完了したことと垂直同期信号の周波数とを考慮したクロック信号を生成することができる。
【０１０３】
第２スイッチング部２２４０は、アンド演算されたクロック（ＶＳＹＮＣ＆Ｉ２Ｃ_ＤＯＮＥ）に応答して、第１スイッチング部２２２０から出力されるクロックとドットクロックＤＣＬＫとのいずれか一方をバッファー２２６０に出力する。例えば、アンド演算されたクロック（ＶＳＹＮＣ＆Ｉ２Ｃ_ＤＯＮＥ）がアクティブ状態である場合、第１スイッチング部２２２０から出力されるクロックをバッファー２２６０に出力し、アンド演算されたクロック（ＶＳＹＮＣ＆Ｉ２Ｃ_ＤＯＮＥ）が非アクティブ状態である場合、ドットクロックＤＣＬＫをバッファー２２６０に出力する。これにより、第１補償データのシリアル−パラレル変換部２１１０への伝送が行われておらず垂直同期信号がアクティブ状態であるときは、ドットクロックＤＣＬＫをバッファー２２６０に供給するようにし、第１補償データのシリアル−パラレル変換部２１１０への伝送が行われているか垂直同期信号が非アクティブ状態であるときは、シリアルクロックＳＣＬをバッファー２２６０に供給するようにすることができる。
【０１０４】
第２メモリ（ＲＯＭ）２２５０は、液晶表示装置２００に具備される液晶の応答速度を向上させるための第２補償データを記憶する。第２メモリ（ＲＯＭ）２２５０に記憶される第２補償データは、液晶表示装置２００を製造する製造者側で液晶表示装置２００に最適に設定したデータである。例えば、第２補償データは、周辺温度が平均的な温度である場合の補償データである。
【０１０５】
バッファー２２６０は、シリアル−パラレル変換部２２１０でパラレル変換された第１補償データを一時的に記憶する。バッファー２２６０は、第２スイッチング部２２４０から出力されるクロックに応答して、第１補償データを第３スイッチング部２２７０に出力する。例えば、ドットクロックＤＣＬＫが入力された場合、一時的に記憶された第１補償データ２２２をスイッチング部２２７０に出力し、シリアルクロックＳＣＬが入力された場合、一時的に記憶された第１補償データ２２２の出力を遮断する。これにより、第１補償データのシリアル−パラレル変換部２１１０への伝送が行われておらず垂直同期信号がアクティブ状態であるときは、第１補償データ２２２をスイッチング部２２７０に出力するようにし、第１補償データのシリアル−パラレル変換部２１１０への伝送が行われているか垂直同期信号が非アクティブ状態であるときは、第１補償データ２２２をスイッチング部２２７０に出力しないようにする。 
【０１０６】
第３スイッチング部２２７０は、伝送クロック（Ｉ２Ｃ_ＬＩ）に応答して、バッファー２２６０から出力される第１補償データ２２２と第２メモリ（ＲＯＭ）２２５０から出力される第２補償データとのいずれか一方をＲＡＭ２２８０に出力する。例えば、伝送クロック（Ｉ２Ｃ_ＬＩ）がアクティブ状態である場合、バッファー２２６０から出力される第１補償データ２２２をＲＡＭ２２８０に出力し、伝送クロック（Ｉ２Ｃ_ＬＩ）が非アクティブ状態である場合、第２メモリ（ＲＯＭ）２２５０から出力される第２補償データをＲＡＭ２２８０に出力する。これにより、第１補償データ２２２のシリアル−パラレル変換部２１１０への伝送が開始されるまでは、第２メモリ（ＲＯＭ）２２５０から出力される第２補償データをＲＡＭ２２８０に出力するようにし、第１補償データのシリアル−パラレル変換部２１１０への伝送が開始された後は、バッファー２２６０から出力される第１補償データ２２２をＲＡＭ２２８０に出力するようにすることが可能である。
【０１０７】
ＲＡＭ２２８０は、ドットクロックＤＣＬＫに応答して、シリアル−パラレル変換部２２１０とバッファー２２６０と第３スイッチング部２２７０とを経由する第１補償データ２２２並びに第２メモリ（ＲＯＭ）２２５０と第３スイッチング部２２７０とを経由する第２補償データのいずれか一方を記憶する。これにより、第１補償データ２２２及び第２補償データのいずれか一方を、画素の動作と同期してＲＡＭ２２８０に記憶させることができる。
【０１０８】
図１０は、図９の第１メモリ（ＥＥＰＲＯＭ）２２０とタイミング制御部２１０とを用いてフレームブランキング期間でＬＵＴを変更するタイミング図である。
【０１０９】
図９及び図１０に示したように、第１メモリ（ＥＥＰＲＯＭ）２２０にアドレス別に複数のＬＵＴが記憶されており、ｎ番目フレーム期間で画像を表示している時、タイミング制御部２１０は、ＴＶセット（図５に示す画像信号ソース１００）で変換された周辺温度に該当されるＬＵＴ（第１補償データ）でありオーバーシュート電圧を発生させる（ブラック→ホワイトに変化するとき、ホワイト→ブラックに変化するとき）ためのＬＵＴ（第１補償データ）を選択する信号を、Ｉ２Ｃバス通信を通じてＴＶセット（図５に示す画像信号ソース１００）から受け取る。例えば、タイミング制御部２１０は、ＬＵＴ（第１補償データ）を選択する信号に基づき、第１メモリ（ＥＥＰＲＯＭ）２２０を参照して、該当ＬＵＴ（第１補償データ）が記憶された場所のアドレスを取得する。タイミング制御部２１０は、該当ＬＵＴ（第１補償データ）が記憶された場所のアドレスと読み出し命令とを第１メモリ（ＥＥＰＲＯＭ）２２０に渡し、該当ＬＵＴ（第１補償データ）のデータの全部を受け取りバッファー２２６０に記憶させる。この処理における伝達所要時間は、特定のＬＵＴに記憶された補償データが２５６個である場合、数十ｍｓ程度である。このため、電源オフなしに画面上でなめらかに補償データ（第１補償データ又は第２補償データ）の値を変更することができる。
【０１１０】
続いて、フレームが変換されるフレームブランキング期間でバッファー２２６０に記憶されたＬＵＴ（第１補償データ）がＲＡＭ２２８０に記憶された後、（ｎ＋１）番目フレーム期間に対応するデータイネイブル信号ＤＥが印加されて、ＲＡＭ２２８０に記憶されたＬＵＴ（第１補償データ又は第２補償データ）を用いて表示動作が行われる。
【０１１１】
このように、垂直同期信号が印加される期間（フレームブランキング期間）に、バッファーに記憶されたＬＵＴの第１補償データ又はＲＯＭに記憶されたＬＵＴの第２補償データがＲＡＭ２２８０に記憶されるため、周辺温度に対応するＬＵＴがＲＡＭ２２８０に記憶されるので、別に電源をオフしなくても、液晶の応答速度を高速化する補償値が変更されて、ユーザ側になめらかな画像を表示することが可能である。
【０１１２】
以上では、複数のＬＵＴをタイミング制御部の外部にあるＥＥＰＲＯＭに記憶させてＴＶセットから提供されるＬＵＴ選択信号に基づいて該当ＬＵＴを選択した後、ブランキング期間の間にＲＡＭに記憶することを説明したが、当業者なら複数のＬＵＴをタイミング制御部の内部に記憶させてＴＶセットから提供されるＬＵＴ選択信号に基づいて該当ＬＵＴを選択した後、ＲＡＭに記憶することもできる。
【０１１３】
具体的には、図９に示すタイミング制御部２１０が、内部に複数のＬＵＴを記憶する第２メモリ（ＲＯＭ）２２５０を有している。ここで、ＬＵＴは、階調の値と第２補償データとを対応づけたテーブルである。タイミング制御部２１０が、ＴＶセット（図５に示す画像信号ソース１００）と液晶表示装置２００（図５参照）との間の相互伝達方式（例えば、Ｉ２Ｃ方式）で任意のＬＵＴを選択する信号の提供を受けることにより、第２メモリ（ＲＯＭ）２２５０に記憶されているＬＵＴをバッファー２２６０に記憶する。
【０１１４】
次に、フレームが変換されるフレームブランキング期間でバッファー２２６０に記憶されたＬＵＴをＲＡＭ２２８０に記憶させた後、次フレームに対応するデータイネイブル信号がタイミング制御部２１０に印加されることにより、ＲＡＭ２２８０に記憶されたＬＵＴを用いて表示動作を行う。
【０１１５】
このように、垂直同期信号が印加される期間（フレームブランキング期間）に、バッファーに記憶されたＬＵＴの第１補償データ又はＲＯＭに記憶されたＬＵＴの第２補償データがＲＡＭ２２８０に記憶されるため、周辺温度に対応するＬＵＴがＲＡＭ２２８０に記憶されるので、別に電源をオフしなくても、液晶の応答速度を高速化する補償値が変更されて、ユーザ側になめらかな画像を表示することが可能である。
【０１１６】
回路構成によって異なるが、オーバーシュート用ＬＵＴサイズを最少化するために原始階調信号が８−階調である場合、原始階調信号は、２５６個の階調データを有することになる。入力クロックの周期に対して、２５６個の階調データに対するブランキング期間は、非常に短い時間であるが、充分にバッファー２２６０に記憶された第１補償データ（又は第２補償データ）をＲＡＭ２２８０に記憶することが可能である。これにより、一般ユーザはＬＵＴ変更による画像変化を認識しないので、ユーザ側になめらかな画像を表示することが可能であるという長所がある。また、特定のＬＵＴを選択する信号がタイミング制御部２１０に受け取られてからそのＬＵＴに応じて画像が表示されるまで、最大時間は１フレーム時間（１６.７ｍｓ）であるので、大きな問題はない。
【０１１７】
一方、第１メモリ（ＥＥＰＲＯＭ）２２０に複数のＬＵＴを記憶する際に、図１１に示したように、それぞれのＬＵＴごとにアドレス領域を割り当てて記憶しなければならない。なぜならば、周辺温度及び垂直同期信号によるＬＵＴ変更を第１メモリ（ＥＥＰＲＯＭ）２２０からタイミング制御部２１０が読み込む際に、タイミング制御部２１０は第１メモリ（ＥＥＰＲＯＭ）２２０に記憶された複数のＬＵＴそれぞれに記憶された全体データを読み込むことなく、周辺温度変化に最適化させるために、該当ＬＵＴのみを読み込むと良いためである。
【０１１８】
この際、第１メモリ（ＥＥＰＲＯＭ）２２０全体のデータのうち、該当アドレスに位置するＬＵＴを読み込む伝送過程でエラーが発生すると、正確な応答速度の補償が不可能になるで、ＬＵＴ種類別に別のサブチェックサムビットを割り当てる方式を取る。
【０１１９】
例えば、一つのＬＵＴサイズを２５６と仮定する時、アドレス３０１からアドレス５５６に対応する領域には第１ＬＵＴ（ＬＵＴ  Ａ）を記憶し、アドレス５５６からアドレス５５７に対応する領域には第１ＬＵＴのサブチェックサムの値（ＬＵＴ  Ａ  ＳＵＢ  ＣＨＫＳＵＭ）を記憶する。また、アドレス５５７からアドレス８１２に対応する領域には第２ＬＵＴ（ＬＵＴ  Ｂ）を記憶し、アドレス８１２からアドレス８１３に対応する領域には第２ＬＵＴのサブチェックサムの値（ＬＵＴ  Ｂ  ＳＵＢ  ＣＨＫＳＵＭ）を記憶する。このような方式を通じて、複数のＬＵＴと、ＬＵＴの伝送上のエラーを防止するためのサブチェックサムの値とを記憶する。
【０１２０】
このような方式によると、選択されたＬＵＴに対応する階調データの伝送時のエラーが発生したとチェックされる場合に、エラーがなくなるまで読み込む動作を繰り返すことになる。これにより、無エラーのＬＵＴに対応する階調データをＲＡＭに記憶することが可能になる。
【０１２１】
もちろん、サブチェックサムの値は、ＬＵＴ別に互いに相違するように付与することにより、互いに異なるＬＵＴデータが同一ＬＵＴデータであると混同されることを防止することが可能である。例えば、第１ＬＵＴのサブチェックサム（ＬＵＴ  Ａ  ＳＵＢ  ＣＨＫＳＵＭ）をＡＡＨＥＸＡ、第２ＬＵＴのサブチェックサム（ＬＵＴ  Ｂ  ＳＵＢ  ＣＨＫＳＵＭ）をＢＢＨＥＸＡ、第３ＬＵＴのサブチェックサム（ＬＵＴ  Ｃ  ＳＵＢ  ＣＨＫＳＵＭ）をＣＣＨＥＸＡ等として付与する方式のように、明確に区分する必要がある。
【０１２２】
また、第１メモリ（ＥＥＰＲＯＭ）２２０の最後のアドレスに対応する領域には、第１ＬＵＴのサブチェックサムの値、第２ＬＵＴのサブチェックサムの値、・・・の合計であるトータルチェックサム（ＥＥＰＲＯＭ  Ｔｏｔａｌ  ＣＨＫＳＵＭ）を記憶する。
【０１２３】
以上、本発明の実施例によって詳細に説明したが、本発明はこれに限定されず、本発明が属する技術分野において通常の知識を有するものであれば本発明の思想と精神を離れることなく、本発明を修正または変更できる。
【産業上の利用可能性】
【０１２４】
本発明にかかる表示システム、表示システムの駆動方法及び表示システムの駆動装置は、液晶表示装置の周辺又は内部の温度に適応して液晶の応答速度を高速化することができるという効果を有し、表示システム、表示システムの駆動方法及び表示システムの駆動装置等として有用である。
【符号の説明】
【０１２５】
１０    ＴＦＴ
５０    温度センサー
１００    画像信号ソース
１１０    データ処理部
１１０’    薄膜トランジスタ
１２０    メモリ（ＲＯＭ）
１２５    補助メモリ（ＳＤＲＡＭ）
２３０    第３メモリ（ＳＤＲＡＭ）
１３０    マイクロコントローラ
１３２    補償データ
１３５    アナログ−デジタル変換部（ＡＤＣ）
１４０，２７０    電圧発生部
２００    液晶表示装置
２１０    タイミング制御部
２２０    第１メモリ（ＥＥＰＲＯＭ）
２３２，２３４    メモリバンク
２４０    データドライバー
２５０    液晶パネル
２６０    スキャンドライバー
２１１０，２２１０    シリアル−パラレル変換部
２１２０，２２５０    第２メモリ（ＲＯＭ）
２１３０，２２２０    第１スイッチング部
２１４０，２２４０    第２スイッチング部
２１５０，２２７０    第３スイッチング部
２１６０，２２８０    ＲＡＭ
２２３０    アンドゲート
２２６０    バッファー
【図１】
0005474017.tif 000002
【図２】
0005474017.tif 000003
【図３】
0005474017.tif 000004
【図４】
0005474017.tif 000005
【図５】
0005474017.tif 000006
【図６】
0005474017.tif 000007
【図７】
0005474017.tif 000008
【図８】
0005474017.tif 000009
【図９】
0005474017.tif 000010
【図１０】
0005474017.tif 000011
【図１１】
0005474017.tif 000012